(57)【要約】【課題】開閉する表示部を備えたディスク再生装置の該表示部が２段階方式で開くことが出来る開閉機構であって、サイズ及び重量の大きな表示部をスムーズに速く、しかもディスク装置本体を安定した状態で表示部を開くことが出来るディスク再生装置の提供。【解決手段】表示部２はディスク装置本体１に開閉可能に取付けられ、又表示部２をロックする為のロック装置６を備えている。そして表示部２の後方にはトーションバネ１２を取付け、バネ片１６を表示部内側から突出したフック１７に係脱可能とし、表示部２が閉じた状態ではフック１７にトーションバネ１２のバネ力を付勢している。中間部位まで開いたところでトーションバネ１２がフック１７に係止して停止する。【選択図】        図２
2004296470.tif 000002
【特許請求の範囲】
【請求項１】
開閉する表示部を備えたディスク再生装置の該表示部が２段階方式で開くことが出来る開閉機構において、表示部はディスク装置本体に開閉可能に取付けられ、又表示部をロックする為のロック装置を備え、そして表示部の後方にはトーションバネを取付けると共に、バネ片を表示部内側から突出したフックに係脱可能とし、該表示部が閉じた状態ではフックにトーションバネのバネ力を付勢し、中間部位まで開いたところでトーションバネがフックに係止して開きを停止するようにしたことを特徴とする表示部を備えたディスク再生装置。
【請求項２】
上記フックを概略Ｌ型断面として当り部の端面にトーションバネのバネ片を当接してバネ力を付勢し、フック先端にはツメを形成して中間部位で停止する為にバネ片を係止可能とした請求項１記載の表示部を備えたディスク再生装置。
【請求項３】
上記フック先端に設けたツメにはトーションバネのバネ片が係合・離脱するための外傾斜面と内傾斜面を形成した請求項２記載の表示部を備えたディスク再生装置。
【発明の詳細な説明】
【０００１】
【発明の属する技術分野】
本発明は開閉する表示部を備えたディスク装置を対象とし、該表示部がスムーズに開くことが出来る開放機構に関するものである。
【０００２】
【従来の技術】
図４は開閉する表示部を備えたディスク再生装置の外観を示している。該ディスク再生装置は表示部を開いてディスクをセットし、表示部を閉じることでターンテーブルに装着して再生するならば、表示部にはディスクに記録されている内容が表示される。（ａ）は該表示部が閉じている場合、（ｂ）は表示部が開いている場合を示しているが、該表示部がロックを解除することで瞬時に全開するならばディスク再生装置の安定性が損なわれて転倒することもある。
【０００３】
すなわち、ディスクをセットするだけの蓋ではなく表示部が備わっている為にサイズ及び重量が大きく、その為に速く全開するならば、全開して停止した際に表示部の慣性力によって装置全体が揺れ動く。勿論、ゆっくり開くようにすれば発生する慣性は小さくなるが、その代わり全開動作に時間がかかってしまう。
【０００４】
扉を開閉する為の装置には色々あるが、例えば特開平９−８３１５３号に係る「扉開閉装置」は筐体の開口部に設けられた開閉扉と、開閉扉を回動可能に筐体に取り付ける取付け支持部材と、筐体の開口部付近に設けられ開閉扉の開閉動作に際して、この開閉扉に係合してダンパ作用を及ぼし、開閉扉の動作を制御する開閉扉規制部材とを備え、開閉扉規制部材は、開閉扉の開動作の初期においてこの開閉扉に係合し前記開閉扉の動作を規制する第１段階と、その後開閉扉と係合した状態で開閉扉の開動作に従って弾性変形しつつ開閉扉を滑らかに開放状態まで回動させる第２段階との２段階にわたって開閉扉を開くようにしている。
【０００５】
この扉開閉装置は該扉の開放動作が２段階に分けて行われ、開閉扉規制部材として板バネが使用されているが、該扉が軽量である場合には十分に機能することが出来る。しかし本発明が対象とする表示部のように寸法及び重量が大きな場合には、板バネの撓み変形にて該表示部の開き度を規制することは出来ず、第１段階の開放状態は一定しない。又、該扉開閉装置ではロックを解除して扉を開く為の別のバネ材等の手段を必要とし、構造的には複雑化する。
【０００６】
【発明が解決しようとする課題】
このように、表示部を備えたディスク装置の該表示部を開くに際して上記のごとき問題がある。本発明が解決しようとする課題はこの問題点であり、サイズ及び重量の大きな表示部をスムーズに速く、しかしディスク装置本体を安定した状態で表示部を開くことが出来る表示部を備えたディスク再生装置を提供する。
【０００７】
【課題を解決する為の手段】
本発明に係るディスク再生装置は表示部を備え、該表示部は開閉することが出来る。閉じた場合には独りでに開かないようにロック機能が備わり、該ロック装置が解除されるならば、バネ力にて押し開かれて開くことが出来る。表示部の下端は軸支されて開閉可能と成っていて、該表示部の後方（内側）にはトーションバネが取付けられ、該トーションバネのバネ力は表示部に付勢される。
【０００８】
表示部の内側からフックが延び、該フック先端は上記トーションバネに係止してバネ力が作用する。すなわち、表示部が閉じた場合には該トーションバネの一方バネ片を押圧・変形し、その反力が表示部に作用し、該表示部のロック装置を解除するならば付勢されているバネ力にて押し開かれる。そして、中間部位まで押し開かれた表示部はこの位置にて停止する。ここで、中間部位とは適度に開いた状態であって、全開までの中間位置ではない。
【０００９】
表示部が開いた中間部位では付勢されたバネ力はゼロになり、トーションバネの先端がフックのツメに係止して停止する。所定の位置まで開いた表示部は、その後は手で押し開かれる。フックに係止したトーションバネのバネ片先端はフックのツメから離脱して開かれ、フックは該トーションバネから離れる。逆に、表示部を閉じる場合には、上記中間部位置にてトーションバネのバネ片先端に再び係止し、その後、表示部を押圧して閉じるならば、該トーションバネを変形してロックされる。以下、本発明に係る実施例を図面に基づいて詳細に説明する。
【００１０】
【実施例】
図１は表示部付きディスク再生装置の側面図を示し、（ａ）は表示部が閉じている場合、（ｂ）は表示部が中間部位まで開いた場合、（ｃ）は表示部が完全開口した場合を示している。このように、本発明ではディスク再生装置の表示部を２段階で開き、開いた際の衝撃を緩和すると共にディスク装置本体の揺れ及び転倒を防止する。
【００１１】
表示部付きディスク再生装置は、ディスク装置本体１に表示部２が取付けられ、該表示部２は開閉することが出来る。ディスク装置本体１の下部には基台３が備わって、床面やテーブル面に載置することが出来、上部には軸４を中心に揺動する持ち手５が取付けられている。同図では、上記持ち手５は倒れた状態にあるが、該持ち手５を起して表示部付きディスク再生装置を持ち上げることが出来る。
【００１２】
図２は表示部２を単独で表した開閉動作を示し、（ａ）は該表示部２が閉じている場合、（ｂ）は表示部２が半開き状態、（ｃ）は表示部２が完全に開いた場合を夫々示している。ディスク装置本体１の上部にはロック装置６が備えられ、表示部２が閉じることで該ロック装置６にロックされて開かないように成る。同図に示しているロック装置６は、ディスク装置本体１に設けた保持部７に取付けられ、先端のツメ８が表示部２の内面側に形成した係合溝９に係合している。
【００１３】
ロック装置６にはコイルバネ１０が設けられて、該コイルバネ１０のバネ力にてツメ８は係合溝９に外れないように係合し、ディスク装置本体１の上端に突出するボタン１１を押すならば、コイルバネ１０を圧縮してツメ８は係合溝９から外れる。そして、表示部２は開くことが出来る。
【００１４】
ところで、表示部２の後方（内方）にはトーションバネ１２が軸１３に取付けられ、軸１３から上方へ延びる一方のバネ片１４の先端はストッパー１５に当接している。そして軸１３から下方へ延びるバネ片１６の先端はフック１７に係止している。該フック１７は表示部２の内側から突出していて、上記トーションバネ１２のバネ片１６に当たってバネ片６を押圧・撓み変形させている。その結果、トーションバネ１２のバネ力はフック１７に作用して、上記ボタン１１を押すことでロック装置６が解除されるならば、表示部２はトーションバネ１２のバネ力によって押し開かれる。
【００１５】
（ｂ）は表示部２がバネ力にて中間部位まで開いた状態であるが、該トーションバネ１２のバネ片１６が復元するが、これ以上は独りで開くことなく停止する。すなわち、トーションバネ１２のバネ片１６の復元と共に表示部２は開くが、該バネ片１６がフック先端に係止している為に表示部２の開きは停止する。その後、表示部２を握って手で押し開くことで、（ｃ）に示すように大きく開口するが、この場合、フック１７はバネ片１６から外れる。
【００１６】
図３はフック１７とバネ片１６との関係を示している。（ａ）は表示部２が閉じている場合、（ｂ）は表示部２が中間部位まで開いている場合、（ｃ）は表示部２を全開する為に手で押し開く場合を表している。フック１７は概略Ｌ型断面を成し、表示部２が閉じた状態では当り部１８の端面１９にバネ片１６が当接している。従って、トーションバネ１２のバネ力は当り部１８の端面１９に作用して該表示部２を押圧している。
【００１７】
そして、表示部２が開いて図２に（ｂ）の状態に成るならば、フック先端に形成しているツメ２０がバネ片１６に係止する。このように、フック１７のツメ２０がトーションバネ１２のバネ片１６に係止することで、フック１７の動きは停止し、表示部２の開き動作も停止する。この状態は、トーションバネ１２が変形していないフリーな状態にあって、このトーションバネ１２のバネ片１６にフックツメ２０が係止した状態にある。
【００１８】
そして、図２（ｂ）の中間部位の半開き状態から、表示部２の上端部を握って手で押し開き、図２（ｃ）の全開状態にする。この場合、図３（ｃ）に示しているようにフックツメ２０に係止しているバネ片１６はツメ２０の内傾斜面２１に沿って移動し、バネ片１６は該ツメ２０から外れる。すなわち、バネ片１６は軸１３と同一方向に撓み変形してツメ２０から離脱することが出来る。バネ片１６がフック１７から外れることで、表示部２は全開することが出来る。
【００１９】
そして、全開した表示部２を再び閉じる場合には、バネ片１６がフック１７に係止しなくてはならない。そこで、ツメ２０には外傾斜面２２が形成され、表示部２が閉じる際に、フック１７の外傾斜面２２にバネ片１６が当接し、外傾斜面２２に沿って移動して該ツメ２０に係止することが出来る。さらに、表示部２を閉じるならば、フック１７の当り部１８の端面１９にバネ片１６に当接して変形し、図３（ａ）の状態となる。
【００２０】
ここで、トーションバネは実施例のような垂直方向ではなく、水平方向に取付けることも出来る。以上述べたように、本発明の表示部付きディスク再生装置は、表示部が開く動作を２段階方式としたものであり、次のような効果を得ることが出来る。
【００２１】
【発明の効果】
本発明に係る表示部を備えたディスク再生装置は、表示部の開き動作が２段階方式となって、一度に全開しないように成っている。すなわち、寸法及び重量的に大きな表示部は中間部位にて一旦停止する為に、該表示部の開き動作に基づく慣性により、ディスク装置本体が揺らいだり、勿論、転倒するようなことはない。そして、表示部の後方にはトーションバネが取付けられて、該トーションバネのバネ力が表示部に付勢されている。従って、ロック装置が解除されるならば、表示部は中間部位まで独りでに開かれる。
【００２２】
表示部が中間部位まで開いたところで、内側へ突出したフック先端のツメにトーションバネが係止することで停止し、その後は手で押し開くことが出来る。本発明は表示部にフックを設けると共に、後方に取付けたトーションバネとで該表示部を押し開き、一方では中間部位にて停止することが出来るように構成することが出来、部品点数を増やすことなく極めて簡単な構造でもって２段階式開放が行われる。
【００２３】
そして、該装置はバネの復元力を利用して表示部開放時の中間位置においてトーションバネがフックから撓みながら離れ、表示部の閉鎖時の中間位置においてはトーションバネが撓みながらフックと係合するように機能し、その信頼性は高い。さらに、該トーションバネ及びフックの形状は簡単である為に、生産性は高く、表示部の開閉機構は簡素化出来ると共に小型化／薄型化が実現さえ得る。
【図面の簡単な説明】
【図１】表示部付きディスク再生装置の側面図であって、表示部の開き動作を示している。
【図２】表示部の開き動作とトーションバネの関係。
【図３】表示部のフックとトーションバネの関係。
【図４】表示部付きディスク再生装置の側面図。
【符号の説明】
１  ディスク装置本体
２  表示部
３  基台
４  軸
５  持ち手
６  ロック装置
７  保持部
８  ツメ
９  係合溝
１０  コイルバネ
１１  ボタン
１２  トーションバネ
１３  軸
１４  バネ片
１５  ストッパー
１６  バネ片
１７  フック
１８  当り部
１９  端面
２０  ツメ
２１  内傾斜面
２２  外傾斜面
【図１】
2004296470.tif 000003
【図２】
2004296470.tif 000004
【図３】
2004296470.tif 000005
【図４】
2004296470.tif 000006